(57)【要約】【課題】挟み幅を素早く変えることが可能で、しかも部品点数が少なく、構造が簡単な挟持装置を提供する。【解決手段】本体２１の下部２１ａのガイド孔２４は、雌ねじ部は形成しておらず、このガイド孔２４にねじ棒２８を移動自在に挿通している。ねじ棒２８の外周部には、雄ねじ部２８ａに螺合する雌ねじ部２６ａを有する六角ナット２６を回転可能に設ける。挟み幅Ｂを調整する場合には、六角ナット２６を回転規制部である穴部２５から離してフリー状態とし、その六角ナット２６を回転させることでねじ棒２８に対して軸方向へ移動させる。六角ナット２６が適当な位置まで移動したら、ねじ棒２８を引いて、六角ナット２６を穴部２５に収容し、六角ナット２６を回転させないようにして、ねじ棒２８を回転させて第２当て部２９の位置を微調整する。【選択図】  図１
2004181581.tif 000002
【特許請求の範囲】
【請求項１】
挟持対象物に宛がわれる第１当て部を有すると共に、この第１当て部と対向する部位にガイド孔を有した本体と、
前記ガイド孔に当該ガイド孔の延び方向に移動自在に挿通され、外周部に雄ねじ部を有すると共に、前記第１当て部側の先端部に前記挟持対象物をその第１当て部との間で挟持する第２当て部を有したねじ棒と、
内周部に前記雄ねじ部に螺合する雌ねじ部を有し、前記第２当て部と前記ガイド孔との間に位置させて前記ねじ棒の外周部に回転可能に設けられ、その回転に伴い前記雌ねじ部が前記雄ねじ部に対し螺進退して前記ねじ棒に対して軸方向に移動するナット部材と、
前記本体に前記ガイド孔の近傍に位置させて設けられ、前記ナット部材の回転を規制する回転規制部とを備えたことを特徴とする挟持装置。
【請求項２】
前記回転規制部は、内周面が前記ナット部材の外面形状にほぼ合致する形状をなし、そのナット部材を収容可能な穴部であることを特徴とする請求項１記載の挟持装置。
【請求項３】
前記ナット部材は、六角ナットであることを特徴とする請求項１または２記載の挟持装置。
【発明の詳細な説明】
【０００１】
【発明の属する技術分野】
本発明は、挟持対象物を第１当て部と第２当て部との間で挟持する構成の挟持装置に関する。
【０００２】
【従来の技術】
従来より、例えば作業灯を任意の場所に取り付けるためのものとして、図６に示すように、挟持装置の機能を備えた取付装置１がある。この取付装置１は次のような構成となっている。本体２は、ほぼＣ字状をなしていて、上部に、作業灯（図示せず）を取り付けるための取付部３が設けられている。取付部３の下部には、挟持対象物Ａに宛がわれる第１当て部４が設けられ、この第１当て部４の下方に位置させて、内周面に雌ねじ部５ａが形成されたねじ孔５が形成されている。外周部に雄ねじ部６ａが形成されたねじ棒６は、その雄ねじ部６ａを雌ねじ部５ａに螺合させた状態でねじ孔５にこれを貫通する状態で挿通されており、上端部に、第１当て部４と対向する第２当て部７が設けられ、下端部に回転操作用のつまみ部８が設けられている。
【０００３】
上記構成において、つまみ部８によりねじ棒６を回転させると、雄ねじ部６ａがねじ孔５の雌ねじ部５ａに対し螺進退して、ねじ棒６がねじ孔５に対して軸方向に移動し、これに伴い第１当て部４と第２当て部７との間の挟み幅Ｂが変化する。このとき、挟持対象物Ａを第１当て部４と第２当て部７との間で挟み付けることにより、その挟持対象物Ａに取付装置１を固定することができる。そして、この取付装置１の取付部３に作業灯を取り付けることによって、作業灯を、取付装置１を介して挟持対象物Ａに取り付けることができる。
【０００４】
上記した取付装置１においては、次のような欠点がある。すなわち、第１当て部４と第２当て部７との間の挟み幅Ｂを調整するには、つまみ部８を指で摘んでねじ棒６を回転させる必要があるが、そのねじ棒６を素早く回転させることは困難であるため、その挟み幅Ｂを素早く大きく変えることは困難であった。
【０００５】
挟み幅を素早く変えることを可能としたものとして、図７に示すような挟持装置１１がある。この挟持装置１１は、上記したような作業灯を取り付けるためのものではなく、挟持対象物（図示せず）を挟み付けておく場合などに用いられるものであり、次のような構成となっている。ほぼＣ字状をなす本体１２は、一端部に第１当て部１３を有し、他端部にガイド孔１４を有している。ガイド孔１４はねじ孔ではなく、内周部には雌ねじ部は形成されていない。このガイド孔１４には、長尺な筒部材１５が当該ガイド孔１４の延び方向に移動自在に挿通されている。筒部材１５は、本体１２に設けられた固定ねじ１６により本体１２に固定されるようになっている。筒部材１５の内周部には雌ねじ部１５ａが形成されていて、外周部に雄ねじ部１７ａを有するねじ棒１７が、その雄ねじ部１７ａを雌ねじ部１５ａに螺合させた状態で、筒部材１５の内周部に挿通されている。ねじ棒１７の一端部には、第１当て部１３と対向する第２当て部１８が設けられ、他端部には回転操作棒１９が設けられている。
【０００６】
上記構成において、筒部材１５を固定ねじ１６により固定した状態で、回転操作棒１９によりねじ棒１７を回転させると、雄ねじ部１７ａが筒部材１５の雌ねじ部１５ａに対し螺進退して、ねじ棒１７が筒部材１５に対して軸方向に移動し、これに伴い第１当て部１３と第２当て部１８との間の挟み幅Ｂが変化する。このとき、第１当て部１３と第２当て部１８との間に挟持対象物を配置しておくことで、その挟持対象物を挟み付けることができる。
【０００７】
そして、上記挟み幅Ｂを大きく変える場合には、固定ねじ１６を緩めて筒部材１５をねじ棒１７ごと軸方向へ移動させ、この後、固定ねじ１６をにより筒部材１５を固定する。そして、回転操作棒１９によりねじ棒１７を回転させることで、第１当て部１３と第２当て部１８との間の挟み幅Ｂを微調整をする。
【０００８】
【発明が解決しようとする課題】
上記した挟持装置１１においては、固定ねじ１６を緩めて筒部材１５をねじ棒１７ごと軸方向へ移動させることで、第１当て部１３と第２当て部１８との間の挟み幅Ｂを素早く変えることができるが、次のような欠点がある。すなわち、軸方向に移動可能な特別な構成の筒部材１５と、この筒部材１５を固定するための固定ねじ１６とを必要とするため、部品点数が多くなると共に、構造が複雑となるという欠点がある。
【０００９】
本発明は上記事情に鑑みてなされたものであり、その目的は、挟み幅を素早く変えることが可能で、しかも部品点数が少なく、構造が簡単な挟持装置を提供するにある。
【００１０】
【課題を解決するための手段】
上記の目的を達成するために、請求項１の発明は、挟持対象物に宛がわれる第１当て部を有すると共に、この第１当て部と対向する部位にガイド孔を有した本体と、前記ガイド孔に当該ガイド孔の延び方向に移動自在に挿通され、外周部に雄ねじ部を有すると共に、前記第１当て部側の先端部に前記挟持対象物をその第１当て部との間で挟持する第２当て部を有したねじ棒と、内周部に前記雄ねじ部に螺合する雌ねじ部を有し、前記第２当て部と前記ガイド孔との間に位置させて前記ねじ棒の外周部に回転可能に設けられ、その回転に伴い前記雌ねじ部が前記雄ねじ部に対し螺進退して前記ねじ棒に対して軸方向に移動するナット部材と、前記本体に前記ガイド孔の近傍に位置させて設けられ、前記ナット部材の回転を規制する回転規制部とを備えたことを特徴とするものである。
【００１１】
上記構成において、本体の第１当て部とねじ棒の第２当て部との間の挟み幅を調整する場合には、ナット部材を回転規制部から離してフリーの状態とし、ナット部材をねじ棒に対し回転させて移動させることで位置を調整し、ナット部材が適当な位置まで移動したら、ねじ棒を軸方向に移動させてナット部材を回転規制部により回転できない位置となるようにする。これにより、第１の当て部と第２の当て部との間のおおよその挟み幅を調整する。そして、この状態で、ナット部材を回転させないようにして、ねじ棒を回転させて第２当て部の位置を微調整することで、第１当て部と第２当て部との間で挟持対象物を挟み付けることができる。
【００１２】
このとき、ナット部材をねじ棒に対して移動させることは、ナット部材を指で勢いよく回転させることで、ねじ棒を回転させる場合に比べて素早く行うことができるため、第１当て部と第２当て部との間の挟み幅を素早く変えることが可能となる。そして、このような構成でありながら、本体とねじ棒の他にはナット部材があれば良いので、筒部材とこの筒部材を固定する固定ねじとを必要としていた従来の挟持装置に比べて、部品点数を少なくできると共に、構成も簡素にできる。さらには、本体のガイド孔に雌ねじ部を形成する必要がなく、また、ナット部材として、市販のものを利用すれば、特別に製作する必要がなく、コストを一層低減できるようになる。
【００１３】
この場合、回転規制部は、内周面がナット部材の外面形状にほぼ合致する形状をなし、そのナット部材を収容可能な穴部から構成することが好ましい（請求項２の発明）。これによれば、ナット部材を穴部に収容することで、ナット部材の回転を、その穴部の内周面のほぼ全体で規制することができるので、ねじ棒を回転させる際にナット部材を安定した状態で固定することができ、ねじ棒の回転操作が容易にできる。
【００１４】
また、ナット部材は六角ナットにより構成することが好ましい（請求項３の発明）。これによれば、ナット部材としては、市販の六角ナットを利用することで、コストを一層低減できるようになる。
【００１５】
【発明の実施の形態】
以下、本発明を、作業灯取付用の取付装置に適用した第１実施例について、図１ないし図３を参照して説明する。
本体２１は、ほぼＣ字状をなしていて、上部２１ａに、作業灯（図示せず）を取り付けるための取付部２２が設けられ、この取付部２２の下部には、挟持対象物Ａに宛がわれる、ほぼへの字状をなす第１当て部２３が設けられている。本体２１の下部２１ｂには、上記第１当て部２３と対向する部位に位置させて、図３にも示すように、上下方向に貫通した円形のガイド孔２４が形成されていると共に、このガイド孔２４の上側に、内周面が六角形をなす穴部２５が形成されている。ガイド孔２４の内周面には雌ねじ部は形成されていない。穴部２５は、後述する六角ナット２６を収容することが可能な回転規制部を構成する。
【００１６】
本体２１において、上部２１ａと下部２１ｂとの間の中間部２１ｃの内面側には、上下方向に延びるガイド壁２７が設けられている。外周部に雄ねじ部２８ａが形成されたねじ棒２８は、上記ガイド孔２４にこれを貫通する状態で、当該ガイド孔２４の延び方向に移動自在に挿通されており、上端部に、第１当て部２３と対向する第２当て部２９が設けられ、下端部に回転操作用のつまみ部３０が設けられている。第２当て部２９は、上記ガイド壁２７に沿って上下方向に移動可能となっているが、回転は不可となっている。ねじ棒２８は、その第２当て部２９に対して回転が可能な状態で連結されている。
【００１７】
上記六角ナット２６は、内周部に上記ねじ棒２８の雄ねじ部２８ａに螺合する雌ねじ部２６ａを有していて、第２当て部２９と本体２１の下部２１ｂとの間に位置させてねじ棒２８の外周部に回転可能に設けられている。この六角ナット２６は、本発明のナット部材を構成するもので、市販品である。この六角ナット２６を回転させると、雌ねじ部２６ａが雄ねじ部２８ａに対し螺進退して、六角ナット２６がねじ棒２８に対して軸方向へ移動する。上記本体２１の穴部２５は、内周面が六角ナット２６の外面形状にほぼ合致する形状をなし、その六角ナット２６を収容可能な構成となっている。
【００１８】
さて、上記構成において、第１当て部２３と第２当て部２９との間の挟み幅Ｂを調整する場合には、図１に示すように、六角ナット２６を回転規制部である穴部２５から上方へ離してフリー状態とし、その六角ナット２６をねじ棒２８に対し回転させることで、ねじ棒２８に対して軸方向へ移動させる。このとき、六角ナット２６を指で勢いよく回転させることで、六角ナット２６はねじ棒２８に対して軸方向へ素早く移動する。
【００１９】
六角ナット２６が適当な位置まで移動したら、ねじ棒２８を軸方向に引いて、六角ナット２６を本体２１の穴部２５に収容した状態とする（図２参照）。六角ナット２６を穴部２５に収容することで、六角ナット２６は回転できないようになる。これにより、第１当て部２３と第２当て部２９との間のおおよその挟み幅Ｂを調整する。この状態で、六角ナット２６を回転させないようにして、つまみ部３０を指で摘んでねじ棒２８を回転させて第２当て部２９の位置を微調整する。このとき、第１当て部２３と第２当て部２９との間で挟持対象物Ａを挟み付けることにより、挟持対象物Ａに取付装置を固定することができる。そして、この取付装置の取付部２２に作業灯を取り付けることによって、作業灯を、取付装置を介して挟持対象物Ａに取り付けることができる。
【００２０】
上記した第１実施例によれば、次のような効果を得ることができる。すなわち、第１当て部２３と第２当て部２９との間の挟み幅Ｂを調整する場合に、回転フリー状態とした六角ナット２６を指で勢いよく回転させて、当該六角ナット２６をねじ棒２８に対して移動させることで、その六角ナット２６を素早く移動させることができるので、上記挟み幅Ｂを素早く調整することが可能になる。そして、このような構成でありながら、本体２１とねじ棒２８の他には六角ナット２６があれば良いので、筒部材とこの筒部材を固定する固定ねじとを必要としていた従来の挟持装置に比べて、部品点数を少なくできると共に、構成も簡素にできる。さらには、本体２１のガイド孔２４に雌ねじ部を形成する必要がなく、また、六角ナット２６として、市販のものを利用すれば、特別に製作する必要がなく、コストを一層低減できる。
【００２１】
また、六角ナット２６の回転を規制する回転規制部を、その六角ナット２６の外面形状にほぼ合致する六角形の穴部２５により構成したので、六角ナット２６をその穴部２５に収容することで、六角ナット２６の回転を、その穴部２５の内周面のほぼ全体で規制することができる。このため、ねじ棒２８を回転させる際に六角ナット２６を安定した状態で固定することができ、ねじ棒２８の回転操作が容易にできる。
【００２２】
図４及び図５は、本発明の第２実施例を示すものであり、この第２実施例は、上記した第１実施例とは次の点が異なっている。すなわち、本体２１の下部２１ｂにおいて、六角ナット２６の回転を規制する回転規制部は、穴部２５に代えて、単なる規制壁３１により構成している。この場合、六角ナット２６の外面の一面をその規制壁３１に当てることで、六角ナット２６の回転を規制する構成となっている。
このような構成としても、基本的に上記した第１実施例と同様な作用効果を得ることができる。
【００２３】
本発明は、上記した実施例にのみ限定されるものではなく、次のように変形または拡張できる。
本発明は、作業灯、電気スタンド等の照明器具を取り付けるための取付装置に限られず、挟持対象物を挟み込む挟持装置に適用することができる。
ナット部材としては、六角ナットに限られず、例えば蝶ナットを利用することもできる。
【００２４】
【発明の効果】
以上の説明から明らかなように、本発明によれば、挟み幅を調整する場合に、回転フリー状態としたナット部材を指で勢いよく回転させて、当該ナット部材をねじ棒に対して移動させることで、そのナット部材を素早く移動させることができるので、上記挟み幅を素早く調整することが可能になる。そして、このような構成でありながら、本体とねじ棒の他にはナット部材があれば良いので、筒部材とこの筒部材を固定する固定ねじとを必要としていた従来の挟持装置に比べて、部品点数を少なくできると共に、構成も簡素にできる。さらには、本体のガイド孔に雌ねじ部を形成する必要がなく、また、ナット部材として、市販のものを利用すれば、特別に製作する必要がなく、コストを一層低減できる。
【図面の簡単な説明】
【図１】本発明の第１実施例を示すもので、六角ナットをフリー状態とした状態での破断側面図
【図２】六角ナットを本体の穴部に収容した状態での破断側面図
【図３】要部の斜視図
【図４】本発明の第２実施例を示す図３相当図
【図５】六角ナットを規制壁に規制した状態での斜視図
【図６】従来の取付装置の破断側面図
【図７】挟み幅を素早く変えることが可能な従来の挟持装置の破断側面図
【符号の説明】
２１は本体、２２は取付部、２３は第１当て部、２４はガイド孔、２５は穴部（回転規制部）、２６は六角ナット（ナット部材）、２６ａは雌ねじ部、２８はねじ棒、２８ａは雄ねじ部、２９は第２当て部、３１は規制壁（回転規制部）、Ａは挟持対象物を示す。
【図１】
2004181581.tif 000003
【図２】
2004181581.tif 000004
【図３】
2004181581.tif 000005
【図４】
2004181581.tif 000006
【図５】
2004181581.tif 000007
【図６】
2004181581.tif 000008
【図７】
2004181581.tif 000009